(57)【要約】    【課題】  従来の地面や路面を覆うするプレートは、土木工事用の重機械で地表を整備した上で、多数のプレートを溶着したりネジで固定していた。従って、人が手動工具１本で敷設することができない上に、損傷部分の補修も容易でなく、撤収後、旧状回復が困難であった。本発明の連結プレートは、敷設も補修も人が手動工具１本ででき、撤収後は速やかに旧状を回復できる連結プレートを提供することを目的としている。    【解決手段】  地面や床面等の任意の部分を覆うプレートであり、板状に形成されたプレート本体１と、該プレート本体１に設けた対の連結部２，３と、を有し、該プレート本体１の一方の連結部２と、該プレート本体１に隣接する他のプレート本体１の他方の連結部３とを揺動自在に連結することを特徴とする。    【選択図】  図１
2005036487.tif 000002
【特許請求の範囲】
【請求項１】
地面や床面等の任意の部分を覆うプレートであり、
板状に形成されたプレート本体と、
該プレート本体に設けた対の連結部と、
を有し、
該プレート本体の対の連結部の内の一方の連結部と、該プレート本体に隣接する他のプレート本体の対の連結部の内の他方の連結部とを揺動自在に連結することを特徴とする連結プレート。
【請求項２】
前記プレート本体の対の連結部の内の一方の連結部と、隣接する他のプレート本体の対の連結部の内の他方の連結受部とが、連結部材により揺動自在に連結されることを特徴とする請求項１記載の連結プレート。
【請求項３】
前記プレート本体の表面に多数の突起或は突条が設けられていることを特徴とする請求項１又は２記載の連結プレート。
【請求項４】
前記連結プレートの複数個を揺動自在に連結し、地面上或は床面上の所望の部分を覆うことを特徴とする請求項１乃至３の内１項記載の連結プレートの敷設工法。
【発明の詳細な説明】
【技術分野】
【０００１】
本発明は、連結プレート及び連結プレートの敷設工法に関するものである。
【背景技術】
【０００２】
歩道にブロックを敷設するときは、地表を平坦に整地した上に砂を撒き、砂の上にブロックを敷設していた。これらのブロックの中に、特開２００２―１７９８９４号公報（特許文献１）と、特開０９―１２５３０５号公報（特許文献２）がある。
【０００３】
特許文献１のブロックは、一端側の端面に蟻溝を設け、他端側の端面にこの蟻溝に嵌り込む突条を設けたもので、蟻溝と突条を次々と嵌め込み直線状に連結するものである。この連結した多数のブロック上を自動車が通るなど部分的に荷重が集中加えられると、連結した蟻溝と突条が損傷を受けてバラバラになり易かった。
【０００４】
特許文献２のブロックは、複数個のレンガ同士を首細部で結合したレンガユニットである。この多数のレンガユニットを地面に並べて敷設し、敷設したレンガユニット上に加圧振動機を走行させることで首細部を破断させ、レンガをバラバラにし、レンガを１個づつ敷設したように見せるものである。従って、敷設したレンガは全てバラバラであり、部分的集中荷重や衝撃には耐えられるものではない。
【０００５】
上記のように、従来のブロックは、十分に固めた平地に敷設しないと、即ち、軟弱な地面に敷設した場合、敷設面を車輌が通るなど１点に荷重が集中すると、荷重が集中した部分が沈下し、他の部分や隣のブロックが浮上したり跳ね上がったりする。この結果、敷設したブロックがバラバラになる。当然、凹凸の有る平地では使えなかった。
【０００６】
例えば、農耕地など柔軟な土地に敷設する場合、事前に砂利や砂などで十分に整地し固めた上でブロックを敷設する必要があり、いったん砂利や砂を入れて整地した農耕地は、単にブロックを取払っただけでは農耕地として直ちに使用することができなかった。又、コンクリートを打設した場合、コンクリートの撤去に膨大な経費が掛かる上に、撤去したコンクリート塊の処理にも悩まされていた。何れの場合も、使用後、速やかに旧状に回復させることは、念頭になく、農耕地などには場合は、使用できなかった。
【０００７】
【特許文献１】特開２００２―１７９８９４号公報
【特許文献２】特開０９―１２５３０５号公報
【発明の開示】
【発明が解決しようとする課題】
【０００８】
本発明の連結プレートは、人が機械を使わずに、レンチやドライバー等の手動工具１つで手軽に敷設でき且つ撤去でき、軽量で人が持ち運べる重さで、農地など軟弱な土地や多少の凹凸がある土地或は河川の土手の法面や山間地などの傾斜面などでも揺動自在に面状或は線状に連結して敷設でき、更に、撤去すれば直ちに旧状を回復できる連結プレートを提供するものである。
【課題を解決するための手段】
【０００９】
本発明は、連結プレートは、地面や床面などの任意の部分を覆うプレートであり、板状に形成されたプレート本体と、該プレート本体に設けられた１対以上の連結部を有し、該プレート本体に設けられた対の連結部の内の一方の連結部と、該プレート本体に隣接する他のプレート本体の対の連結部の内の他方の連結部とが、揺動自在に連結されることを特徴とする。又、該プレート本体に設けられた対の連結部の内の一方の連結部と、該プレート本体に設けられた対の連結部の内の他方の連結部とを、連結部材により揺動自在に連結したり、該プレート本体の表面に多数の突起或は突条を設けたりできる。更に、連結プレートの敷設工法は、前記複数個の連結プレートを揺動自在に連結し、地面上或は床上の所望の部分を覆うことを特徴とする。
【発明の効果】
【００１０】
本発明の連結プレートの主要効果を列記する。  １．この連結プレートは、受けた集中荷重が隣接する周囲の連結プレートに分散されて伝わり、敷設した全連結プレートで荷重を受けることになり、全体の耐荷重は非常に大きくなる。又、揺動自在に連結された多数の連結プレートは、全体で１枚の可撓性のプレート状となり、受けた荷重が吸収・減衰されて周囲の連結プレートに伝わる。以上の結果、農地のような軟弱な地面であっても、事前に砂利や砂で地表を固めずに連結プレートを敷設でき、砂利や砂を使わないから連結部材を取外せば直ちに農地として利用できる。
【００１１】
２．  １枚の連結プレートに１対以上の連結部とが設けられているので、多数の連結プレートを次々と連結できる。１枚の連結プレートに１対の連結部が設けられたときは、多数の連結プレートを直線状或は曲線状に連結でき、２組以上のときは面状に連結でき、所望の地面上や床上を覆える。
【００１２】
連結部材が、ボルト、アンカーボルト、割ピンなど簡単な構造であるからレンチ、ドライバー、ハンマーなどの簡単な手動工具で多数の連結プレートを次々と連結し取外せる。又、損傷した連結プレートは、損傷した連結プレートのみを前記手動工具で簡単に交換でき、損傷した金属製鋳造連結プレートは、新規に鋳造する連結プレートの材料として何回でも反復繰返してリサイクルできるから環境負荷が極めて低い。
【００１３】
４．連結部、連結部材の構造次第で、垂直方向と水平方向何れかに任意の角度で連結できるから連結プレートの敷設場所を選ばず、何処にでも簡単に敷設できる。
【００１４】
５．多数の連結プレートを、連結部材を介して揺動自在に連結するから、連結プレート間に間隙があり、この間隙から雨水が地下に透過する。又、連結プレートの表面には、多数の突起や突条が夫々孤立した形状で設けられているから、雨水はこれらの突起や突条の間を通って外周方向に流れ、前記間隙から地下に透過・吸収される。従って、連結プレート上には水溜りができず、雨上がり直後は勿論、降雨時でも快適に歩ける。
【発明を実施するための最良の形態】
【００１５】
図１乃至３に示すように、本実施例の連結プレートは、板状のプレート本体１（形状を問わない）と、１対の連結部２，３と該プレート本体１の裏面に突条４を有する。このプレート本体の外周の対向する辺に１対以上の円形の連結部２と連結受部としての連結部３を設ける。一方の連結部２とこのプレート本体１に連結する隣接するプレート本体１の他方の連結部３とを、別途設ける連結部材としてのボルト５（或は、割ピン、アンカーボルト等）により揺動自在に連結するものである。素材は鉄或はアルミニュームを使って鋳造した連結プレートが望ましいが、合成樹脂製や木製など他の素材であっても良い。
【００１６】
前記円形の連結部２と連結部３の半分は、プレート本体１の外周に突出している。一方の連結部２の中心には貫通孔２ａを設ける。他方の連結部３の中心にはネジ溝付孔３ａを設ける。連結部３のネジ溝付孔３ａの外周部は上方に突出しており、連結部２の貫通孔２ａに揺動自在に緩く嵌り合う。プレート本体１の裏面の突条４の形状は、任意であり、プレート本体１を補強する補強用であり、地面上に敷設したとき、この突条４が地面に食い込みプレート本体１の横滑りを防ぐ。
【００１７】
図４、図５に示すように、別途連結部材としてのボルト５と座金５ａを設ける。プレート本体１の連結部３に、隣接する他のプレート本体１の連結部２を重ね、上方から連結部２の貫通孔２ａを貫通させて連結部３のネジ溝付孔３ａに座金５ａを介してボルト５を螺着すると、プレート本体１と隣接する他のプレート本体１が揺動自在に連結される。図示しないが、連結部３の中心にも連結部２と同様の貫通孔を設け、重ねた連結部２の貫通孔２ａと連結部３の貫通孔に前記ボルト５を挿通し、ボルト５の先端にナットを締結することもできる。こうして連結された複数の連結プレート１は、揺動自在である。多数のプレート本体１を用意して、プレート本体１の連結部２と、このプレート本体１に隣接する他のプレート本体１の連結部３をレンチやスパナなどの手動工具１本で次々と連結すれば、平地、斜面、凹凸のある場所に、直線状或は面状に自由に敷設できる。図６は、複数のプレート本体が、垂直方向に曲折して連結された状態を示している。
【００１８】
上記構成の連結プレートは、プレート本体１の連結部２と、このプレート本体１に連結する隣接するプレート本体１の連結部３を重ね、座金５ａ付ボルト４を貫通孔に挿通させて連結部３のネジ溝に螺着すると、連結受部２と連結部３は揺自在に連結される。以下、連結プレートの主用効果を列記する。
【００１９】
１．上記連結プレートは、プレート本体に連結部２と連結部３を設け、プレート本体１の連結部２、隣接する他のプレート本体１の連結部３を重ね、連結部材としてのボルト５により揺動自在に連結したものである。従って、１点に集中した荷重を受けてもこの荷重が隣接する周囲のプレート本体１に分散されて伝わり、敷設した全連結プレートで荷重を受けることになり、全体の耐荷重は非常に大きくなる。又、連結部２と連結部３を連結部材としてのボルト５で揺動自在に連結すると、１点に集中して加えられた荷重が吸収され減衰されて周囲のプレート本体１に伝わる。この面状或は線状に連結された多数のプレート本体１は、全体が１枚の可撓性プレートとなり、敷設地面を覆い、加えられた荷重を全体で地面に伝える。以上の結果、農地のような軟弱な地面であっても、事前に砂利や砂で地表を固めることなく多数の連結プレートを敷設できる。又、砂利や砂或はコンクリートを使わないから連結部材としてのボルトを取外せば、直ちに農地として利用できる。
【００２０】
２．  １枚のプレート本体１に１対以上の連結部２と連結部３が設けられているので、多数の連結プレートを次々と連結できる。１枚のプレート本体１に１対の連結部２と連結部３を設けた時は、多数の連結プレートを直線状或は曲線状に連結でき、１枚のプレート本体１に２対以上の連結部2と連結部３を設けたときは、多数の連結プレートを面状に連結できる。
【００２１】
３．簡単な構造の連結部材としてのボルト５を連結部３のネジ溝３ａに螺着するのであるから、レンチ等の簡単な手動工具で多数の連結プレートを次々と連結したり取外したりできる。又、素材に拘るものではないが、重くて丈夫な鉄を使って鋳造した場合でも３０ｃｍ角の１枚の連結プレートの重量が４〜５ｋｇという軽量で造れ、アルミニュームや合成樹脂で造れば更に軽量化できる。従って、この連結プレートは、機械なしで人力のみで十分敷設作業ができる。更に、損傷した連結プレートは、損傷した連結プレートのみを前記手動工具で簡単に交換でき、損傷した金属製鋳造連結プレートは、新規に鋳造する連結プレートの材料として何回でも反復繰返してリサイクルでき、環境負荷が極めて低い。
【００２２】
４．連結部２、連結部３の形状次第で、垂直方向にでも水平方向にでも任意の角度で連結できるから連結プレートの敷設場所を選ばない。従って、平地、凹凸の有る所、軟弱な所や頑強な地面、上り勾配や下り勾配或は両勾配が混合した傾斜面、など何処にでも簡単に敷設できる。
【００２３】
５．隣接する連結プレートは、連結部材としてのボルト５を介して揺動自在に連結されるから隣接する連結プレート間に間隙があり、この間隙から雨水が地下に透過する。
【００２４】
尚、図３では、プレート本体１が略正方形に形成されているが、後述するように、正方形に拘るものではなく、必要に応じた任意の形状で良い。又、対向する２組の辺に連結部２と連結部（連結受部）３が夫々設けられているが、用途に応じ１組の対向辺にのみ連結部２と連結部３を設けても良い。プレート本体１が６角形の場合は、対向する３組の辺に３組の連結部２と連結部３を設けることもでき、プレート本体１の形状、連結部２と連結部３の形状、位置及び個数は、図示したものに拘らない。
【００２５】
図７、図８に示すように、連結部２に貫通孔２ａを、連結部３にも貫通孔３ｂを設け、ボルト５の代わりに連結部材としての割ピン６を設けると、この割ピン６を重ねた連結部２の貫通孔２ａと連結受部３の貫通孔３ｂに挿通し揺動自在に連結できる。又、図９、図１０に示すように、ボルト５の代わりに連結部材としてのアンカーボルト７を設け、このアンカーボルト７を重ねた連結部２の貫通孔２ａと連結受部３の貫通孔３ａに挿通し揺動自在に連結することもできる。更に、連結部材としては、ボルト５、割ピン６、アンカーボルト７以外であっても良く、連結部２と連結部３を次々と揺動自在に連結できれば、如何なる連結部材であっても良い。上記構成の連結プレートは、前記実施例と同様の作用効果に加え、アンカーボルト７が地面に刺し込まれるのであるから、平地は勿論法面のように傾斜した面に敷設しても、アンカーボルト７がプレート本体１の連結部２，３を大地に固定するから、敷設した連結ボルトは移動しない。
【００２６】
図１１乃至図１５に示すように、連結部１２をプレート本体１１の外周の１辺に突設した矩形の連結部１２とし、矩形の連結部１２を設けた辺と対向する辺に矩形の連結受部としての連結部１３を設けることもできる。矩形の連結部１１には、貫通孔１２ａを、連結部１３には、ネジ溝付孔１３ａを夫々設ける。この貫通孔１２ａとネジ溝付孔１３ａの位置関係は、プレート本体１１の連結部１３に、このプレート本体１１に隣接して連結するプレート本体１１の連結部１２を重ねた時、連結部材としてのボルト５を挿通できる位置である。上記構成の連結プレートは、前記実施例と同様の作用効果に加え、連結部１２、連結部（連結受部）１３としての強度が増す。
【００２７】
図１６乃至図１９に示すように、プレート本体３１の対向する辺に１或は複数の連結部としての矩形の突起３２，３３を設ける。この矩形の突起３２，３３には、辺と平行な貫通孔３４，３５を設ける。プレート本体３１の連結部３２と、このプレート本体３１に連結し隣接するプレート本体３１の連結部３３は、２片のプレートを１本の軸で回動自在に連結した蝶番の連結部同様に互いに噛合う形状の連結部３３である。連結する両プレート本体３１の連結部３２と連結部３３が噛合った状態では、前記連結部３２と連結部３３に設けた貫通孔３４，３５は、直列即ち直線状に連通する。別途、連結部材としてのピン継ぎ手３６を設け、直線状に連通した両プレート本体３１の連結部３２の貫通孔３４と連結部３３の貫通孔３５に挿通する。上記構成の両プレート本体３１の連通した貫通孔３４，３５に連結部材としてのピン継ぎ手３６を挿入して連結すると、連結された両プレート本体３１は、ピン継ぎ手３６の軸方向と直交する方向の任意の角度に曲折自在である。
【００２８】
図２０に示すように、前記連結部３２の貫通孔３４と連結部３３の貫通孔３５は、断面が円形であり、連結された両プレートの曲折角度は、自在であるが、敷設後の経年使用で貫通孔３４，３５の内面や挿通されたピン継ぎ手３６が錆びたり、汚泥が詰まると自在な曲折が不自由になったり、ピン継ぎ手３６を抜き取れなくなり易い。こうした不都合を改良したものが図２１、図２２である。断面円形の貫通孔３４，３５に断面四角形のピン継ぎ手３７や断面六角形３８のピン継ぎ手３７，３８（断面円形の貫通孔の内壁面とピン継ぎ手の外周の間に間隙を有し、揺動自在に連結できれば、ピン継ぎ手の断面形状を問わない）を挿通する。この貫通孔３４，３５に挿通したピン継ぎ手３７，３８に衝撃を与えたり、回転させると、貫通孔３４，３５とピン継ぎ手３７，３８の間の錆びや汚泥が解れ、容易に抜けるようになる。図２３は、水平な地表上に、図２４は、傾斜面が高低差のある水平な地表間に挟まれた傾斜面に、前記連結プレートをピン継ぎ手３６，３７，３８で連結した状態を示している。
【００２９】
図２５乃至２９に示すように、一端側に連結部としての半円状の突出部４２を有し、他端側に半円状の突出部４２を重ねる連結受部であり連結部としての凹部４３を有する板状のプレート本体４１を設ける。半円状の突出部を円形に見立てた時の円心に貫通孔４４を設ける。凹部４３の先端に半円状の突起４５を設け、半円状の突起４５を円形に見立てた時の円心にネジ溝付の孔４６が設ける。このネジ溝付孔４６周辺は、上方に盛り上がっており、連結するための隣接するプレート本体４１の突出部４２に設けた貫通孔４４に緩く嵌り込む。
【００３０】
別途、連結部材としてのボルト４７を設ける。プレート本体４１の突出部４２を連結するための隣接する他のプレート本体４１の凹部４３に重ね、重ねた突出部４２の貫通孔４４にボルト４７を挿通し、プレート本体４１の凹部４３のネジ溝付孔４６に螺着すると、２つのプレート本体４１は、揺動自在に連結できる。揺動自在に連結した２つのプレート本体４１は、ボルト４７を軸として水平方向に回動自在であり、勿論、ボルト４７の軸方向にもある程度折り曲げられる。従って、上記の構成の連結プレートは、直線状（図２８）連結したり、任意に曲折させて（図２９）連結したりでき、且つ、ボルト４７を緩めれば連結した状態である程度連結角度を変更できる。連結部（連結受部）としての凹部４３のネジ溝付孔４６を単なる貫通孔とすれば、ボルト・ナット、割ピン、ピン継ぎ手等他の連結部材で連結できる。
【００３１】
図３０の拡大断面図に示すように、半円形の突出部４２の貫通孔４４を六角形を2つ重ねた形状の変形１２角形の貫通孔５１とし、軸が６角形のボルト５２を挿通すると、水平方向に小刻みに角度を変えられる。この場合のボルト５２は、両端にネジ溝を有するボルト５２で、凹部４３の突起４５に設けたネジ溝付孔４６に基端を螺着し、螺着したボルト５２に連結するプレート本体４１の貫通孔４４を挿通させ、ボルト５２の先端に図示しないナットを螺着するものである。又、ボルト５２を凹部４３の突起４５の円心に植設しても良い。尚、貫通孔とボルトの断面形状は、図示した変形１２角形と６角形に拘らず、６角形と４角形や３角形の組合せなどでもよい。ボルト５２をセレーション軸とし、貫通孔５１をセレーション軸が嵌り込む貫通孔とすれば、連結するプレート本体４１の連結角度を更に小刻みに変更できる。
【００３２】
図３１に示すように、プレート本体７１の半円状の連結部としての突出部７２を多角形とし、連結受部である連結部としての凹部７３を突出部７２が嵌り込む多角形とすることにより前記図３０の実施例と同様な作用効果が得られる。図３２に示すように、一端に外周に多数の凹凸を設けた突出部７４を設け、多端にこの突出部７４が嵌り込む凹部７５を設けたプレート７６としたり、図示しないセレーション軸状の突出部と凹部を設けることもできる。
【００３３】
図３３乃至３５に示すように、プレート本体６１の表面に任意の形状に湾曲した（或は真直ぐな）多数の突条６２（図３３）或は点状の多数の突起６３（図３４、図３５）を設ける。多数の突条６２や突起６３を孤立させて設けたプレート本体６１上の散水時や降雨時の水は、多数の突条６２や突起６３間の下地上を通り外周方向に流れ、連結したプレート本体６１間の間隙から地下に透過・吸収される。又、これらの水は、多数の突条６２や突起６３の上端に溜まらず、プレート本体６１上に水溜りができないから、散水時、降雨直後、降雨時であっても履物を濡らさずに快適に歩行できる。
【産業上の利用可能性】
【００３４】
本発明の連結プレートは、連結部材により簡単な手動工具１つで、地面上や床上に敷設できるから、駐車場、催事場、車道、歩道、下線等の土手の法面、山間地等々、諸々の地面上は勿論のこと、建造物の床面等に敷設できる。
【図面の簡単な説明】
【００３５】
【図１】本発明に係る対向辺に半円形の連結部を設けた方形の連結プレートの平面図である。
【図２】図１のＡ―Ａ線切断縦断面図である。
【図３】本発明に係る対向辺に半円形の連結部を設けた方形の連結プレートの背面図である。
【図４】本発明に係る対向辺に半円形の連結部を設けた方形の連結プレートをボルトにより連結する前の状態を示す分解縦断面図である。
【図５】本発明に係る対向辺に半円形の連結部を設けた方形の連結プレートをボルトにより連結した状態を示す要部拡大図付組立て縦断面図である。
【図６】本発明に係る対向辺に半円形の連結部を設けた方形の連結プレートを連結した曲折状態を示す組立て縦断面図である。
【図７】本発明に係る方形の連結プレートを割ピンにより連結する前の状態を示す分解縦断面図である。
【図８】本発明に係る対向辺に半円形の連結部を設けた方形の連結プレートを割ピンにより連結した状態を示す組立て縦断面図である。
【図９】本発明に係る対向辺に半円形の連結部を設けた方形の連結プレートをアンカーボルトにより連結する前の状態を示す分解縦断面図である。
【図１０】本発明に係る対向辺に半円形の連結部を設けた方形の連結プレートをアンカーボルトにより連結した状態を示す組立て縦断面図である。
【図１１】本発明に係る対向辺に矩形の連結部を設けた方形の連結プレートの平面図である。
【図１２】図１１のＢ―Ｂ線切断縦断面図である。
【図１３】本発明に係る対向辺に矩形の連結部を設けた方形の連結プレートの背面図である。
【図１４】本発明に係る対向辺に矩形の連結部を設けた方形の連結プレートをボルトにより連結する前の状態を示す分解縦断面図である。
【図１５】本発明に係る対向辺に矩形の連結部を設けた方形の連結プレートをボルトにより連結した状態を示す組立て縦断面図である。
【図１６】本発明に係る対向辺に矩形の連結部を設け、辺に添う貫通孔を設けた方形の連結プレートの平面図である。
【図１７】図１１のＣ―Ｃ線切断縦断面図である。
【図１８】本発明に係る対向辺に矩形の連結部を設け、辺に添う貫通孔を設けた方形の連結プレートの背面図である。
【図１９】本発明に係る対向辺に矩形の連結部を設け、辺に添う貫通孔を設けた方形の連結プレートをピン継ぎ手により連結する前後の状態を示す分解縦断面図である。
【図２０】本発明に係る対向辺に矩形の連結部を設け、辺に添う貫通孔を設けた方形の連結プレートを断面円形のピン継ぎ手により連結した状態を示す要部拡大組立て縦断面図である。
【図２１】本発明に係る対向辺に矩形の連結部を設け、辺に添う貫通孔を設けた方形の連結プレートを断面四角形のピン継ぎ手により連結した状態を示す要部拡大組立て縦断面図である。
【図２２】本発明に係る対向辺に矩形の連結部を設け、辺に添う貫通孔を設けた方形の連結プレートを断面６角形のピン継ぎ手により連結した状態を示す要部拡大組立て縦断面図である。
【図２３】本発明に係る対向辺に矩形の連結部を設け、辺に添う貫通孔を設けた方形の連結プレートを断面円形のピン継ぎ手により直線状に連結した状態を示す組立て縦断面図である。
【図２４】本発明に係る対向辺に矩形の連結部を設け、辺に添う貫通孔を設けた方形の連結プレートを断面円形のピン継ぎ手により継ぎ手の軸と直交する方向に曲折させて連結した状態を示す組立て縦断面図である。
【図２５】本発明に係る１対の連結部を設けた変形連結プレートの平面図である。
【図２６】本発明に係る１対の連結部を設けた変形連結プレートをボルトにより連結する前の状態を示す分解縦断面図である。
【図２７】本発明に係る対向辺に半円形の連結部を設けた方形の連結プレートをボルトにより連結した状態を示す組立て縦断面図である。
【図２８】本発明に係る１対の連結部を設けた変形連結プレートを直線状に連結した平面図である。
【図２９】本発明に係る１対の連結部を設けた変形連結プレートを曲折させて連結した平面図である。
【図３０】本発明に係る１対の連結部を設けた変形連結プレートを連結した状態の要部拡大横断面図である。
【図３１】本発明に係る多角形の突出部と凹部を設けた連結プレートの平面図である。
【図３２】本発明に係る外周に多数の凹凸を有する突出部と凹部を設けた連結プレートの平面図である。
【図３３】本発明に係る連結プレートの上面に多数の曲折した突条を設けた要部拡大平面図である。
【図３４】本発明に係る連結プレートの上面に多数の点状の突起を設けた要部拡大平面図である。
【図３５】図３２のＡ―Ａ線切断縦断面図である。
【符号の説明】
【００３６】
１    プレート本体
２    連結部
２ａ  貫通孔
３    連結部（連結受部）
３ａ  ネジ溝付孔
３ｂ  貫通孔
４    突条
５    ボルト
５ａ  座金
６    割ピン
７    アンカーボルト
１１    プレート本体
１２    連結部
１２ａ  貫通孔
１３    連結部（連結受部）
１３ａ  ネジ溝付孔
３１    プレート本体
３２    連結部
３３    連結部（連結受部）
３４    貫通孔
３５    貫通孔
３６    ピン継ぎ手
３７    断面四角形のピン継ぎ手
３８    断面六角形のピン継ぎ手
４１    プレート本体
４２    突出部
４３    凹部
４４    貫通孔
４５    突起
４６    ネジ溝付孔
４７    ボルト
５１    貫通孔
５２    ボルト
６１    プレート本体
６２    突条
６３    突起
７１    プレート本体
７２    突出部
７３    凹部
７４    突出部
７５    凹部
７６    プレート本体
【図１】
2005036487.tif 000003
【図２】
2005036487.tif 000004
【図３】
2005036487.tif 000005
【図４】
2005036487.tif 000006
【図５】
2005036487.tif 000007
【図６】
2005036487.tif 000008
【図７】
2005036487.tif 000009
【図８】
2005036487.tif 000010
【図９】
2005036487.tif 000011
【図１０】
2005036487.tif 000012
【図１１】
2005036487.tif 000013
【図１２】
2005036487.tif 000014
【図１３】
2005036487.tif 000015
【図１４】
2005036487.tif 000016
【図１５】
2005036487.tif 000017
【図１６】
2005036487.tif 000018
【図１７】
2005036487.tif 000019
【図１８】
2005036487.tif 000020
【図１９】
2005036487.tif 000021
【図２０】
2005036487.tif 000022
【図２１】
2005036487.tif 000023
【図２２】
2005036487.tif 000024
【図２３】
2005036487.tif 000025
【図２４】
2005036487.tif 000026
【図２５】
2005036487.tif 000027
【図２６】
2005036487.tif 000028
【図２７】
2005036487.tif 000029
【図２８】
2005036487.tif 000030
【図２９】
2005036487.tif 000031
【図３０】
2005036487.tif 000032
【図３１】
2005036487.tif 000033
【図３２】
2005036487.tif 000034
【図３３】
2005036487.tif 000035
【図３４】
2005036487.tif 000036
【図３５】
2005036487.tif 000037